(57)【要約】      （修正有）【課題】漏洩した冷媒を簡単かつ確実に検出可能である空調システムを提供する。【解決手段】冷媒回路１１を備える空調システムは、リーク検出システム３２を有する。リーク検出システムは、室温センサ４０、冷媒蒸発器１５の冷媒インレット１６における冷媒温度を検出するためのインレット温度センサ３４、及び冷媒蒸発器の冷媒アウトレット１７における冷媒温度を検出するためのアウトレット温度センサ３６を含む。これらのセンサは、演算ユニット３８と連結している。さらに空気調和される部屋１８の室温が、冷媒蒸発器の前の空気インレット側４１で検出される。これらの温度から冷媒のリークを検出する。【選択図】図１
2017219304.tif 000002
【特許請求の範囲】
【請求項１】
空調システム（１０）であって、特にレジャー車輌向けであり、冷媒回路（１１）を有し、前記空調システム（１０）は、冷媒の循環方向に沿って見たとき、周囲環境（１４）と熱交換できる冷媒凝縮器（１２）、冷媒スロットル（２２）、空調される部屋（１８）と熱交換できる冷媒蒸発器（１５）、及び冷媒圧縮器（２８）を含み、前記空調システム（１０）が、空調される部屋（１８）の前記冷媒蒸発器（１５）から空気インレット側（４１）に上流における室温（ＴＲ）を検出するように形成された室温センサ（４０）、前記冷媒蒸発器（１５）の冷媒インレット（１６）における冷媒温度を検出するように形成されたインレット温度センサ（３４）、前記冷媒蒸発器（１５）の冷媒アウトレット（１７）における冷媒温度を検出するように形成されたアウトレット温度センサ（３６）、及び前記室温センサ（４０）、前記インレット温度センサ（３４）、及び前記アウトレット温度センサ（３６）と接続された演算ユニット（３８）、を備えたリーク検出システム（３２）を含むことを特徴とする、システム。
【請求項２】
少なくとも部分的には冷媒回路（１１）を空調される部屋（１８）から遮断するための冷媒密封性の分離装置を含むことを特徴とする、請求項１に記載の空調システム（１０）。
【請求項３】
前記分離装置が、選択的に前記冷媒インレット（１６）を遮断するように形成された冷媒インレットバルブ（２５）、及び選択的に前記冷媒アウトレット（１７）を遮断するように形成された冷媒アウトレットバルブ（３１）を含むことを特徴とし、前記冷媒インレットバルブ（２５）、及び前記冷媒アウトレットバルブ（３１）がソレノイドバルブとして形成されることが望ましい、請求項２に記載の空調システム（１０）。
【請求項４】
前記分離装置が、前記空調システム（１０）を前記空調される部屋（１８）から遮断するように形成された冷媒密封性のフラップ（４８）を含むことを特徴とする、請求項２又は３に記載の空調システム（１０）。
【請求項５】
前記リーク検出システム（３２）が、前記演算ユニット（３８）と接続されている告知ユニット（４２）を含むことを特徴とする、請求項１〜４のいずれかに記載の空調システム（１０）。
【請求項６】
前記冷媒蒸発器１５が、ダブルチューブ熱交換器として設計されることを特徴とする、請求項１〜５のいずれかに記載の空調システム（１０）。
【請求項７】
前記演算ユニットが、前記室温と前記冷媒アウトレットでの前記冷媒アウトレット温度との差としてアウトレット温度差を、そして、前記冷媒インレットと前記冷媒アウトレットとでの冷媒温度の差として蒸発器温度差を算出するように形成されることを特徴とする、請求項１〜６のいずれかに記載の空調システム（１０）。
【請求項８】
空調システム（１０）においてリークを検出する方法であって、前記空調システム（１０）は、特にレジャー車輌向けであり、冷媒回路（１１）を有し、冷媒の循環方向に沿ってみると、周囲環境（１４）と熱交換できる冷媒凝縮器（１２）、冷媒スロットル（２２）、空調される部屋（１８）と熱交換できる冷媒蒸発器（１５）、及び冷媒圧縮器（２８）を含み、前記方法が、
ａ）空気インレット側（４１）の前記冷媒蒸発器（１５）の上流側で、前記空調される部屋（１８）の室温（ＴＲ）を検出するステップと、
ｂ）前記冷媒蒸発器（１５）の冷媒インレット（１６）で、冷媒インレット温度（ＴＥ）を検出するステップと、
ｃ）前記冷媒蒸発器（１５）の冷媒アウトレット（１７）で、冷媒アウトレット温度（ＴＡ）を検出するステップと、
ｄ）前記室温（ＴＲ）と前記冷媒アウトレット温度（ＴＡ）の差としてアウトレット温度差（ＴＡＤ）を算出するステップと、
ｅ）前記冷媒アウトレット温度（ＴＡ）と前記冷媒インレット温度（ＴＥ）との差として蒸発器温度差（ＴＶＤ）を算出するステップと、
ｆ）所定の値以上、前記アウトレット温度差（ＴＡＤ）が減少し、かつ前記蒸発器温度差（ＴＶＤ）が増大したとき、リークを検出するステップ、
を含む方法。
【請求項９】
リーク検出後、前記冷媒回路（１１）を前記空調される部屋（１８）から少なくとも部分的には遮断するために冷媒密封性の分離装置が起動することを特徴とする、請求項８に記載の方法。
【請求項１０】
リーク検出後、前記冷媒蒸発器（１５）の前記冷媒インレット（１６）が前記冷媒インレットバルブ（２５）によって遮断され、前記冷媒蒸発器（１５）の前記冷媒アウトレット（１７）が前記冷媒アウトレットバルブ（３１）によって遮断されることを特徴とする、請求項９に記載の方法。
【請求項１１】
リーク検出後、冷媒密封性のフラップ（４８）が閉じられ、それにより前記空調システム（１０）が前記空調される部屋（１８）から遮断されることを特徴とする、請求項９又は１０に記載の方法。
【請求項１２】
リーク検出後、リークの存在に関する情報を含むことが望ましい電子メッセージが発信されることを特徴とする、請求項８〜１１のいずれかに記載の方法。
【発明の詳細な説明】
【技術分野】
【０００１】
本願発明は、冷媒回路を備える空調システムに関し、空調システムは、冷媒の循環方向に沿って見たとき、周囲環境と熱交換が可能な冷媒凝縮器、冷媒スロットル、空気調和される部屋と熱交換が可能な冷媒蒸発器、及び冷媒圧縮器を含む。
【０００２】
さらに、本願発明は、上述した空調システムにおけるリーク検出の方法に関する。
【背景技術】
【０００３】
先行技術において、空調システムは多様な分野で使用される。空調システムでは、それぞれの目的に適応した特性を有する冷媒が使用される。従来の空調システムでは、冷媒が、フッ素化温室効果ガス、特にフッ素化炭化水素を含む。
【０００４】
環境問題への意識向上と、例えばフッ素化温室効果ガスに関するＥＵ指令などの法的要求が厳しくなるにつれて、いわゆる自然冷媒にますます注目が集まっている。しかし、これらの冷媒は一般に可燃性、爆発性、及び／又は有毒である、すなわち広い意味で人の健康に有害である。
【０００５】
従って、そのような冷媒を使用した空調システムの環境、特にそのシステムによって空調された部屋にいる人は、これらの冷媒から保護されなければならない。このことは、特に冷媒が漏れたときに最も重要である。
【０００６】
自然冷媒を使った空調システムはまた、比較的小さい部屋の空調に使用される。例えば、これはレジャー用車輌、すなわちキャラバン、トレーラ、モービルホーム、仮設住居、住居用コンテナ等であり得る。そのような小さい空調空間にいる人は、ごく微量の流出冷媒からも保護されなければならない。そのために、リークによる冷媒の流出を防止又は少なくとも流出量を最小化するための効果的かつ強固なリーク検出システムが必要となる。これが、自然冷媒による空調システムの安全な運用を提供する唯一の道である。
【０００７】
したがって、冷媒リークを、たとえ微量の冷媒リークであっても、漏洩した冷媒を簡単かつ確実に検出可能である空調システムを提供することが本願発明の目的である。
【発明の概要】
【０００８】
その目的は、上述の空調システムによって解決され、システムは、冷媒蒸発器の上流側（空気インレット側）で、空調される部屋の室温を検出するように形成された室温センサ、冷媒蒸発器の冷媒インレットで冷媒温度を検出するように形成されたインレット温度センサ、冷媒蒸発器の冷媒アウトレットで冷媒温度を検出するように形成されたアウトレット温度センサ、及び室温センサ、インレット温度センサ、及びアウトレット温度センサと接続された演算ユニットからなるリーク検出システムを含む。演算ユニットは、冷媒アウトレットにおける室温と冷媒温度の差であるアウトレット温度差、及び、冷媒インレットにおける冷媒温度と冷媒アウトレットにおける冷媒温度との差である蒸発器温度差を算出するように形成される。これら２つの温度差の算出は単一の演算ユニットで実現可能である。代わりに、それぞれの差の算出は別個の演算ユニットで実現可能である。リークが発生した場合、冷媒回路は、ある量の冷媒を失う。しかし、例えばブローワを介して、なお同じ量の熱が空調される部屋から冷媒蒸発器へと導入される。同じことが冷媒凝縮器にも当てはまる。その結果、冷媒蒸発器の冷媒インレットにおける冷媒温度が降下し、冷媒蒸発器の冷媒アウトレットにおける冷媒温度が上昇する。したがってリークが発生した場合、アウトレット温度差が減少し、蒸発器温度差が増大する。これは演算ユニットによって検出可能であり、リーク発生として認識される。これは、冷媒回路の圧力センサも、空調される部屋のガスセンサも必要としない。したがって、リークの検出は簡単で信頼性が高い。加えて、温度センサの手段で、いわゆるクリーピングリーク（潜行性の漏れ）も検出可能である。クリープリークとは、空調システムから小さい質量及び／又は体積の冷媒流出が長期に亘って発生することである。
【０００９】
１つの実施形態においては、リークの検出に応じて、少なくとも部分的には冷媒回路を空調される部屋から分離するために冷媒密封性のある分離装置が起動される。
【００１０】
１つの実施形態においては、空調システムは、少なくとも部分的には冷媒回路を空調される部屋から分離するための冷媒密封性分離装置を含む。したがって、リークが発生した場合、空調システム及び／又は冷媒回路を人が中にいる空調される部屋から分離することが可能である。したがって、人は冷媒から効果的に保護される。分離装置は、停止状態すなわち空調システムが動作していない状態で遮蔽可能であることが望ましい。これにより空調システムの安全作動がもたらされる。
【００１１】
リーク検出後に、冷媒インレットバルブを使って冷媒蒸発器の冷媒インレットが遮断され、さらに冷媒アウトレットバルブを使って冷媒蒸発器の冷媒アウトレットが遮断されるように設計変更ができる。
【００１２】
冷媒インレットの遮断ができる冷媒インレットバルブ、及び冷媒アウトレットの遮断ができる冷媒アウトレットバルブは、ソレノイドバルブとして形成されることが望ましい。代わりに冷媒アウトレットバルブは、冷媒蒸発器に向けた冷媒の流れを止める方向に取り付けられる逆流防止弁でもよい。それにより、冷媒蒸発器が残りの冷媒回路から分離可能である。一般に冷媒蒸発器は空調される部屋の中に配置されるため、冷媒蒸発器を閉鎖することはまた、空調される部屋を残りの冷媒回路から分離することになる。したがって、この部屋にいる人は冷媒から効果的に保護される。バルブであるため、迅速な遮断が可能である。加えて、バルブは安全装置付きの設計が可能である。例えば、休止状態で常に閉じているように設計できる。このことで、確かに空調システムの安全作動がもたらされる。
【００１３】
加えて、リーク検出後、冷媒密封性のフラップを閉じることができ、それは空調される部屋から空調システムを遮断する。
【００１４】
冷媒密封性のフラップは、分離装置の一部であってもよい。フラップは、リーク発生の際、迅速に、かつ外部力を必要とすることなく閉じるようにプレテンションされている、すなわちばね仕掛けであることが望ましい。
【００１５】
リークの検出後、リーク存在の情報を望ましくは含む電子メッセージが発信されることが望ましい。
【００１６】
メッセージ発信のため、リーク検出システムは、演算ユニットと連結した告知ユニットを含み得る。告知ユニットは、冷媒回路中のリーク存在のメッセージを作成するように形成される。最も簡単な例において、告知ユニットは、ディスプレイ、スクリーン、又は、例えばＬＥＤ等の表示ランプであり得る。代わりに、告知ユニットは、例えば電子メッセージ、及びＳＭＳ（ショートメッセージサービス）又は電子メールを作成、発信できてもよい。空調システムのオペレータ以外の受信者として、空調システムのサービス業者、ディーラ、又は製造者があり得る。したがって、リークに影響される人がリーク発生について知らされることが容易である。
【００１７】
有利なことに、冷媒蒸発器は、ダブルチューブ熱交換器として設計される（ドイツ特許出願ＤＥ１０２０１５１２２６８１を参照）。したがって、空調される部屋の中に設置される冷媒蒸発器は、空調される部屋への冷媒の流出に関して安全性が高い。その結果、冷媒回路中にリークが発生した際、空調される部屋の中の人に及ぶ危険性は少なくとも軽減される。
【００１８】
本願発明の他の目的は、上述のように空調システムの冷媒回路中のリークが簡単かつ確かに検出される方法を示すことである。特に、少量のリークであっても検出されるべきである。
【００１９】
その目的は下記のステップを含む上述の方法で達成される。
ａ）空気インレット側の冷媒蒸発器の上流側で、空調される部屋の室温を検出する、
ｂ）冷媒蒸発器の冷媒インレットで、冷媒インレット温度を検出する、
ｃ）冷媒蒸発器の冷媒アウトレットで、冷媒アウトレット温度を検出する、
ｄ）室温と冷媒アウトレット温度の差としてアウトレット温度差を算出する、
ｅ）冷媒アウトレット温度と冷媒インレット温度の差として蒸発器温度差を算出する、
ｆ）所定の値以上、アウトレット温度差が減少し、蒸発器温度差が増大したとき、リークを検出する。
【００２０】
アウトレット温度差及び／又は蒸発器温度差について、空調システムの応用法に依存して制限値が固定され得る。例えば、制限値として温度数値の変化速度を参照することができる。この制限値は毎分２度であることが望ましい。代わりに、制限値は温度数値であってもよい。
【００２１】
ステップｆ）の代わりに、又はそれに加えて、アウトレット温度差が、例えば１０度等の所定の値を下回ったとき、及び／又は蒸発器温度差が、例えば１５度等の所定の値を上回ったときに、リークが検出されるようにもできる。
【００２２】
リークが検出されると、空調システムは自動的に停止する。空調システムの全ての制御部品及び電気部品もまた停止することが望ましい。加えて、空調システムの回路関係のロックが起動して、ユーザによって回路のスイッチが再び入れられないようになることが望ましい。
【図面の簡単な説明】
【００２３】
本願発明は、添付図面に示されている種々の実施形態例を参照して説明される。
【００２４】
【図１】本願発明に係る空調システムの模式的概観図を示す。
【図２】本願発明に係る空調システムの別の実施形態の部分図を示す。
【図３】本願発明に係る空調システムにおける温度推移例を示す。
【発明を実施するための形態】
【００２５】
図１は、空調システム１０の概観を示す。空調システム１０は、例えばレジャー用車輌に設置される。
【００２６】
空調システム１０は、周囲環境１４と熱交換をする冷媒凝縮器１２を備えた冷媒回路１１、及び、冷媒インレット１６と冷媒アウトレット１７を備え、空調される部屋１８と熱交換をする冷媒蒸発器１５を含む。
【００２７】
冷媒は、冷媒ライン２０を通って冷媒凝縮器１２から冷媒スロットル２２へ、そしてそこから冷媒ライン２４を通って冷媒蒸発器１５に循環する。冷媒ライン２４はまた、冷媒インレットバルブ２５を含み、それによって冷媒インレット１６を残りの冷媒回路１１から選択的に分離可能である。
【００２８】
冷媒蒸発器１５から進むと、冷媒は、冷媒ライン２６を通って冷媒圧縮器２８に回り、冷媒圧縮器２８は冷媒ライン３０を介して冷媒凝縮器１２と接続されている。冷媒ライン２６の中に、例えば逆流防止弁である冷媒アウトレットバルブ３１が設置され、それにより冷媒蒸発器１５の冷媒アウトレット１７が、残りの冷媒回路から分離可能である。
【００２９】
冷媒インレットバルブ２５及び冷媒アウトレットバルブ３１の両方が閉じた場合、冷媒蒸発器１５は、残りの冷媒回路１１から遮断される。
【００３０】
空調システム１０は、加えて、冷媒蒸発器１５の冷媒インレット１６における冷媒のインレット温度ＴＥを検出可能なインレット温度センサ３４を備えたリーク検出システム３２を含む。リーク検出システム３２は、加えて、冷媒蒸発器１５の冷媒アウトレット１７における冷媒のアウトレット温度ＴＡを検出可能なアウトレット温度センサ３６を含む。
【００３１】
インレット温度センサ３４及びアウトレット温度センサ３６の両方は、演算ユニット３８と接続されている。
【００３２】
リーク検出システム３２は、加えて、空調される部屋１８の室温ＴＲを検出可能な室温センサ４０を、冷媒蒸発器１５の上流側（空気インレット側４１）に含む。室温センサ４０はまた、演算ユニット３８と接続されている。
【００３３】
加えて、演算ユニット３８には、告知ユニット４２が接続されている。
【００３４】
代わりに、演算及び告知を組み合わせたユニットを提供することもできる。
【００３５】
残りの冷媒回路１１から冷媒蒸発器１５を遮断する別の実施形態が図２に示されている。ここで、冷媒蒸発器１５は、模式的に示され、冷媒回路１１の残りの部分は省略されている。空調される部屋１８も一部を取り除いて示されている。
【００３６】
冷媒回路１１及び／又は冷媒蒸発器１５を、空調される部屋１８から遮断するために、図２の実施形態では、冷媒密封性のフラップ４８が提供され、フラップ４８は（破線で示されている）閉じた位置では、空調システム１０を空調される部屋１８から遮断できる。
【００３７】
例えば、フラップ４８は、その閉じた位置を保つようにプレテンションされてもよい。
【００３８】
代わりに、フラップ４８は、スライドとして設計され得る。
【００３９】
空調システム１０の作動形態を、ここから図３に示されているダイヤグラムを参照して説明する。このダイヤグラムで、時間ｔがｘ軸に、そして温度Ｔがｙ軸にプロットされている。
【００４０】
第１の曲線は、冷媒蒸発器１５から空気インレット側４１に上流での空調される部屋１８の室温ＴＲの推移を示す。第２の曲線は、冷媒蒸発器１５の冷媒インレット１６における冷媒の冷媒インレット温度ＴＥの推移を示す。第３の曲線は、冷媒蒸発器１５の冷媒アウトレット１７における冷媒の冷媒アウトレット温度ＴＡの推移を示す。
【００４１】
空調システム１０の作動中、インレット温度センサ３４は、冷媒インレット温度ＴＥを検出し、それを演算ユニット３８に伝える。アウトレット温度センサ３６は、冷媒アウトレット温度ＴＡを検出し、測定された温度値を演算ユニット３８に送る。
【００４２】
同様に、室温センサ４０は、冷媒蒸発器１５から空気インレット側４１に上流で空調される部屋１８の室温ＴＲを検出して、その温度値を演算ユニット３８に提供する。
【００４３】
提供を受けた温度値により、演算ユニット３８は、室温ＴＲと冷媒アウトレット温度ＴＡとの差としてアウトレット温度差ＴＡＤを、そして、冷媒アウトレット温度ＴＡと冷媒インレット温度ＴＥとの差として蒸発器温度差ＴＶＤを算出する。
【００４４】
空調システム１０にリークが存在しない場合、空調システム１０の安定した作動中、温度ＴＲ、ＴＡ、およびＴＥは、実質的に不変である。それに応じて、蒸発器温度差ＴＶＤ及びアウトレット温度差ＴＡＤもまた、実質的に不変である。冷媒が冷媒回路１１内を循環し、冷媒量は実質的に不変である。
【００４５】
ここで、時間ｔＬにおいて冷媒ライン２０においてリークが発生したと仮定する。例えば、リークは冷媒ライン２０の亀裂が原因かもしれない。
【００４６】
説明をすすめていくと分かるとおり、冷媒回路１１のいずれのポイントでリークが発生するかは、重要ではない。
【００４７】
リークにより、ある量の冷媒が冷媒回路１１から失われる。
【００４８】
しかし、冷媒蒸発器１５においてブローワによって冷媒回路１１に供給される熱量は実質的に不変である。加えて、冷媒凝縮器１２において、実質的に一定の熱量がブローワを介して冷媒から引き出される。
【００４９】
空調される部屋１８の温度ＴＲも同様に、実質的に不変である。
【００５０】
次に、冷媒凝縮器１２において、量が減少してゆく冷媒から一定の熱量が引き出されるため、インレット温度ＴＥが降下する。冷媒蒸発器１５において、量が減少した冷媒に対して一定の熱量が加えられるため、アウトレット温度ＴＡが上昇する。
【００５１】
次に、アウトレット温度差ＴＡＤが減少し、蒸発器温度差ＴＶＤが増大する。
【００５２】
加えて、冷媒回路１１の圧力が減少する。
【００５３】
演算ユニット３８は、蒸発器温度差ＴＶＤの変化を、演算ユニット３８に記憶された所定の値と比較する。この限界値は、例えば毎分２度であってもよい。
【００５４】
ここでアウトレット温度差ＴＡＤが毎分２度以上の速度で減少し、蒸発器温度差ＴＶＤが毎分２度以上のレートで増加した場合、演算ユニット３８は、リークを検出する。
【００５５】
ＴＡＤ及びＴＶＤの限界値は、具体的な応用法に依存して固定され、それらはまた異なる値でもよい。
【００５６】
アウトレット温度差ＴＡＤが例えば１０度の固定値を下回った場合、及び／又は蒸発器温度差ＴＶＤが例えば１５度の固定値を上回った場合、演算ユニットは同様にリークを検出する。
【００５７】
リーク検出への対応として、最初に演算ユニット３８が、告知ユニット４２を介してメッセージを作成してもよい。例えば、告知ユニットは、空調システムの修理業者に向けてＳＭＳ又は電子メールを発信してもよい。
【００５８】
加えて、演算ユニット３８は、空調される部屋にいる人を保護する手段を開始する。図１に示されている第１の実施形態では、冷媒インレットバルブ２５及び冷媒アウトレットバルブ３１が、この目的で閉じられる。したがって、冷媒蒸発器１５は、残りの冷媒回路１１から遮断される。
【００５９】
代わりに、図２に示されている実施形態において演算ユニット３８は、フラップ４８を開いた位置（実線）から閉じた位置（破線）に移してもよい。
【００６０】
つまり両方の選択肢において、空調される部屋１８は、空調システム１０から、特に冷媒回路１１から、遮断される。したがって、空調される部屋１８にいる人は、ごく少量の漏れた冷媒に晒されるだけであるか、もしくは全く晒されない。
【図１】
2017219304.tif 000003
【図２】
2017219304.tif 000004
【図３】
2017219304.tif 000005
【外国語明細書】
2017219304.tif 000006
2017219304.tif 000007
2017219304.tif 000008
2017219304.tif 000009
2017219304.tif 000010
2017219304.tif 000011
2017219304.tif 000012
2017219304.tif 000013
2017219304.tif 000014
2017219304.tif 000015
2017219304.tif 000016
2017219304.tif 000017
2017219304.tif 000018
2017219304.tif 000019
2017219304.tif 000020